(57)【要約】【課題】より進化したＷｅｂページ、情報量のより多いＷｅｂページにアクセスしようとする場合であっても、携帯端末として、性能、機能を増強することなく、Ｗｅｂアクセスを可能とする遠隔携帯端末画面制御システムを提供する。【解決手段】携帯端末１０にてＷｅｂアクセスする際に、入出力処理機能１２を起動して、タッチパネル機能１３またはキーボード入力機能１４にて指定されたＷｅｂページに関するタイトル情報を付したＷｅｂアクセス要求を、サーバ２０に送信するとともに、画面情報受信機能１５を起動し、該要求を受け付けたサーバ２０は、ブラウザ機能２１にて要求されたＷｅｂページを取得して画面情報にデコードし、デコードした該画面情報を画面情報送信機能２３にて要求元の携帯端末１０に返送する。携帯端末１０は、起動している画面情報受信機能１５によりサーバ２０からの該画面情報を受信して、当該携帯端末１０の液晶画面に画面表示する。【選択図】        図１
2011243109.tif 000002
【特許請求の範囲】
【請求項１】
携帯端末からインターネットのＷｅｂページにアクセスして画面表示を行う際に、該携帯端末からサーバまたはホームＰＣ（Personal Computer）に対してインターネットへのＷｅｂアクセスの要求を送信し、該要求を受け付けた前記サーバまたはホームＰＣにおいて前記携帯端末から要求されたＷｅｂページを取得して要求元の前記携帯端末に送信する遠隔携帯端末画面制御システムであって、前記サーバまたはホームＰＣは、前記携帯端末から要求されたＷｅｂページをインターネットからダウンロードして画面表示するための処理を実行することにより画面情報を生成し、生成した該画面情報を要求元の前記携帯端末に送信し、該画面情報を受信した前記携帯端末は、該画面情報を当該携帯端末の液晶画面上に画面表示することを特徴とする遠隔携帯端末画面制御システム。
【請求項２】
前記携帯端末のユーザによって、当該携帯端末の前記液晶画面上に画面表示された画面情報の中から、いずれかのＷｅｂページに関するタイトル情報を選択する操作がなされた際に、選択された該タイトル情報のＷｅｂページに関する表示要求を前記サーバまたはホームＰＣに送信し、該表示要求を受け付けた前記サーバまたはホームＰＣは、該表示要求の前記タイトル情報にて指定されているＷｅｂページをダウンロードして、該Ｗｅｂページに関する画面情報を生成して、生成した該画面情報を要求元の前記携帯端末に送信することを特徴とする請求項１に記載の遠隔携帯端末画面制御システム。
【請求項３】
前記携帯端末のユーザによって、当該携帯端末の前記液晶画面上に画面表示された画面情報の中から、電話番号またはＵＲＬ（Unique Resource Locator）またはメールアドレスのいずれか１ないし複数のアドレス情報に関する文字列を選択する操作がなされた際に、選択された電話番号またはＵＲＬまたはメールアドレスのいずれか１ないし複数のアドレス情報に関する文字列に相当する実際のアドレス情報を取得するための要求を、前記サーバまたはホームＰＣに送信し、該要求を受け付けた前記サーバまたはホームＰＣは、要求された前記実際のアドレス情報を取得して、要求元の前記携帯端末に返送することを特徴とする請求項１または２に記載の遠隔携帯端末画面制御システム。
【請求項４】
前記サーバまたはホームＰＣから返送された前記実際のアドレス情報を受信した前記携帯端末は、受信した前記実際のアドレス情報を当該携帯端末のお気に入りメモリに登録することを特徴とする請求項３に記載の遠隔携帯端末画面制御システム。
【請求項５】
前記携帯端末に備えられている前記お気に入りメモリは、通常の携帯端末に備えられている電話帳またはアドレス帳であり、前記お気に入りメモリに登録されている前記実際のアドレス情報の選択操作を行った際に、選択操作された前記実際のアドレス情報が、電話番号であった場合は、当該電話番号向けのダイヤル発信を行い、選択操作された前記実際のアドレス情報が、ＵＲＬであった場合は、当該ＵＲＬのＷｅｂページに関する画面情報の取得要求を前記サーバまたはホームＰＣに対して行い、選択操作された前記実際のアドレス情報が、メールアドレスであった場合は、当該メールアドレス宛にメール送信を行うことを特徴とする請求項４に記載の遠隔携帯端末画面制御システム。
【請求項６】
前記液晶画面がタッチパネル付き液晶画面であり、前記携帯端末のユーザによる前記タイトル情報または前記アドレス情報に関する文字列の選択操作として、ユーザのタッチ操作またはキーボードのクリック操作を用いることを特徴とする請求項２ないし５のいずれかに記載の遠隔携帯端末画面制御システム。
【請求項７】
携帯端末からインターネットのＷｅｂページにアクセスして画面表示を行う際に、該携帯端末からサーバまたはホームＰＣ（Personal Computer）に対してインターネットへのＷｅｂアクセスの要求を送信し、該要求を受け付けた前記サーバまたはホームＰＣにおいて前記携帯端末から要求されたＷｅｂページを取得して要求元の前記携帯端末に送信する遠隔携帯端末画面制御方法であって、前記サーバまたはホームＰＣは、前記携帯端末から要求されたＷｅｂページをインターネットからダウンロードして画面表示するための処理を実行することにより画面情報を生成し、生成した該画面情報を要求元の前記携帯端末に送信し、該画面情報を受信した前記携帯端末は、該画面情報を当該携帯端末の液晶画面上に画面表示することを特徴とする遠隔携帯端末画面制御方法。
【請求項８】
前記携帯端末のユーザによって、当該携帯端末の前記液晶画面上に画面表示された画面情報の中から、いずれかのＷｅｂページに関するタイトル情報を選択する操作がなされた際に、選択された該タイトル情報のＷｅｂページに関する表示要求を前記サーバまたはホームＰＣに送信し、該表示要求を受け付けた前記サーバまたはホームＰＣは、該表示要求の前記タイトル情報にて指定されているＷｅｂページをダウンロードして、該Ｗｅｂページに関する画面情報を生成して、生成した該画面情報を要求元の前記携帯端末に送信することを特徴とする請求項７に記載の遠隔携帯端末画面制御方法。
【請求項９】
前記携帯端末のユーザによって、当該携帯端末の前記液晶画面上に画面表示された画面情報の中から、電話番号またはＵＲＬ（Unique Resource Locator）またはメールアドレスのいずれか１ないし複数のアドレス情報に関する文字列を選択する操作がなされた際に、選択された電話番号またはＵＲＬまたはメールアドレスのいずれか１ないし複数のアドレス情報に関する文字列に相当する実際のアドレス情報を取得するための要求を、前記サーバまたはホームＰＣに送信し、該要求を受け付けた前記サーバまたはホームＰＣは、要求された前記実際のアドレス情報を取得して、要求元の前記携帯端末に返送することを特徴とする請求項７または８に記載の遠隔携帯端末画面制御方法。
【請求項１０】
請求項７ないし９のいずれかに記載の遠隔携帯端末画面制御方法を、コンピュータによって実行可能なプログラムとして実施していることを特徴とする遠隔携帯端末画面制御プログラム。
【発明の詳細な説明】
【技術分野】
【０００１】
本発明は、遠隔携帯端末画面制御システム、遠隔携帯端末画面制御方法および遠隔携帯端末画面制御プログラムに関する。
【背景技術】
【０００２】
携帯電話機等の携帯端末を用いて、インターネット上のＷｅｂページにアクセスしようとする場合、特許文献１の特開２００４−０１３５７６号公報「広域ネットワークを利用したデータ入力システム」にも記載されているように、携帯端末上でＷｅｂブラウザを起動して、簡易ＨＴＭＬ（Hyper-Text Markup Language）で記述されたＷｅｂページをダウンロードして、携帯端末上で簡易ＨＴＭＬを実行することによって画面情報を生成して表示するような形式が採用されている。
【先行技術文献】
【特許文献】
【０００３】
【特許文献１】特開２００４−０１３５７６号公報（第９−１１頁）
【発明の概要】
【発明が解決しようとする課題】
【０００４】
（従来の課題）
しかしながら、前記特許文献１のようなデータ入力方法においては、携帯端末にとって、進化する簡易ＨＴＭＬ言語などに応じて、要求機能に追随した機能アップが絶えず必要となる。また、簡易ＨＴＭＬ言語で記述されたＷｅｂページを伝送するため、本来の画面情報に、Ｗｅｂページ制御情報が加わり、情報量が多いＷｅｂページを画面表示する場合に、より大きい伝送速度、伝送帯域を確保しなければならなかった。
【０００５】
（本発明の目的）
本発明は、かかる事情に鑑みてなされたものであり、その目的とするところは、携帯端末として、処理能力、言語対応用の機能やデータ通信伝送速度を増強することなく、より進化したＷｅｂページ、情報量のより多いＷｅｂページにアクセスしようとする場合であっても、現状の機能、性能のまま、Ｗｅｂアクセスを可能とする遠隔携帯端末画面制御システム、遠隔携帯端末画面制御方法および遠隔携帯端末画面制御プログラムを提供することにある。
【課題を解決するための手段】
【０００６】
前述の課題を解決するため、本発明による遠隔携帯端末画面制御システム、遠隔携帯端末画面制御方法および遠隔携帯端末画面制御プログラムは、主に、次のような特徴的な構成を採用している。
【０００７】
（１）本発明による遠隔携帯端末画面制御システムは、携帯端末からインターネットのＷｅｂページにアクセスして画面表示を行う際に、該携帯端末からサーバまたはホームＰＣ（Personal Computer）に対してインターネットへのＷｅｂアクセスの要求を送信し、該要求を受け付けた前記サーバまたはホームＰＣにおいて前記携帯端末から要求されたＷｅｂページを取得して要求元の前記携帯端末に送信する遠隔携帯端末画面制御システムであって、前記サーバまたはホームＰＣは、前記携帯端末から要求されたＷｅｂページをインターネットからダウンロードして画面表示するための処理を実行することにより画面情報を生成し、生成した該画面情報を要求元の前記携帯端末に送信し、該画面情報を受信した前記携帯端末は、該画面情報を当該携帯端末の液晶画面上に画面表示することを特徴とする。
【０００８】
（２）本発明による遠隔携帯端末画面制御方法は、携帯端末からインターネットのＷｅｂページにアクセスして画面表示を行う際に、該携帯端末からサーバまたはホームＰＣ（Personal Computer）に対してインターネットへのＷｅｂアクセスの要求を送信し、該要求を受け付けた前記サーバまたはホームＰＣにおいて前記携帯端末から要求されたＷｅｂページを取得して要求元の前記携帯端末に送信する遠隔携帯端末画面制御方法であって、前記サーバまたはホームＰＣは、前記携帯端末から要求されたＷｅｂページをインターネットからダウンロードして画面表示するための処理を実行することにより画面情報を生成し、生成した該画面情報を要求元の前記携帯端末に送信し、該画面情報を受信した前記携帯端末は、該画面情報を当該携帯端末の液晶画面上に画面表示することを特徴とする。
【０００９】
（３）本発明による遠隔携帯端末画面制御プログラムは、少なくとも前記（２）に記載の遠隔携帯端末画面制御方法を、コンピュータによって実行可能なプログラムとして実施していることを特徴とする。
【発明の効果】
【００１０】
本発明の遠隔携帯端末画面制御システム、遠隔携帯端末画面制御方法および遠隔携帯端末画面制御プログラムによれば、以下のような効果を奏することができる。
【００１１】
すなわち、本発明においては、携帯端末側においてＷｅｂページのダウンロード要求が発生した場合、ダウンロード要求されたＷｅｂページのダウンロードおよび画面表示処理を、該携帯端末からの要求を受け付けたサーバ側またはホームＰＣ側で実行して、該実行結果として生成された画面情報を要求元の携帯端末側へ転送することにしているので、より進化したＷｅｂページ、情報量のより多いＷｅｂページにアクセスしようとする場合であっても、携帯端末側の処理能力、言語対応用の機能やデータ通信伝送速度を増強させることなく、現状の携帯端末の性能、機能のままで、高機能なＷｅｂアクセスを可能としている。
【図面の簡単な説明】
【００１２】
【図１】本発明に係る遠隔携帯端末画面制御システムのシステム構成の一例を示すシステム構成図である。
【図２】図１に示す携帯端末に画面表示されるログインメニュー画面の一例を示す画面図である。
【図３】図１に示す携帯端末に画面表示されるログイン後メニュー画面の一例を示す画面図である。
【図４】図１に示す遠隔携帯端末画面制御システムの携帯端末の動作の一例を説明するためのフローチャートである。
【図５】図１に示す遠隔携帯端末画面制御システムの携帯端末の動作の他の例を説明するためのフローチャートである。
【図６】図１に示す遠隔携帯端末画面制御システムの携帯端末の動作の図５とは異なる例を説明するためのフローチャートである。
【図７】図１に示す遠隔携帯端末画面制御システムの携帯端末の動作の図４ないし図６とは異なる例を説明するためのフローチャートである。
【発明を実施するための形態】
【００１３】
以下、本発明による遠隔携帯端末画面制御システム、遠隔携帯端末画面制御方法および遠隔携帯端末画面制御プログラムの好適な実施形態について添付図を参照して説明する。なお、以下の説明においては、本発明による遠隔携帯端末画面制御システムおよび遠隔携帯端末画面制御方法について説明するが、かかる遠隔携帯端末画面制御方法をコンピュータにより実行可能な遠隔携帯端末画面制御プログラムとして実施するようにしても良いし、あるいは、遠隔携帯端末画面制御プログラムをコンピュータにより読み取り可能な記録媒体に記録するようにしても良いことは言うまでもない。
【００１４】
（本発明の特徴）
本発明の実施形態の説明に先立って、本発明の特徴についてその概要をまず説明する。現状の携帯端末においては、携帯端末からＷｅｂアクセスする際に、毎回、Ｗｅｂサーバから、簡易ＨＴＭＬをダウンロードして、携帯端末上で実行して、Ｗｅｂページを画面表示しているが、本発明に係る携帯端末においては、Ｗｅｂアクセスに関する制御は、携帯端末側で実行するものの、インターネットのＷｅｂページや簡易ＨＴＭＬのダウンロードおよび画面表示処理は、携帯端末からの要求を受け付けたサーバ側またはホームＰＣ（Personal Computer）側で実行し、その実行結果として生成された画面情報を、要求元の携帯端末側に出力することを可能にしたこと、さらに、携帯端末の画面情報上に表示された電話番号、メールアドレス、ＵＲＬ（Unique Resource Locator）の文字列をクリックすることにより、サーバ側またはホームＰＣ側から、当該携帯端末側に、クリックした文字列に該当する実際のアドレス情報（電話番号、メールアドレス、ＵＲＬ）を送信して、携帯端末側に記憶させることを可能にしたことを特徴としている。
【００１５】
また、携帯端末側に記憶した電話番号、メールアドレス、ＵＲＬアドレスは、通常の携帯端末の場合と同じように、電話発信、メール発信、ＵＲＬアクセスに利用することを可能にしたことを特徴としている。つまり、記憶した電話番号をクリックすることにより当該電話番号向けにダイヤル発信し、記憶したメールアドレスをクリックすることにより当該メールアドレス宛にメール送信し、記憶したＵＲＬをクリックすることにより当該ＵＲＬのＷｅｂページにサーバまたはホームＰＣを介してＷｅｂアクセスすることを可能とし、従来の携帯端末側にＷｅｂブラウザを持たせた場合と同等の機能を実現している。
【００１６】
かくのごとく、本発明は、Ｗｅｂページの画面表示に関する処理を、携帯端末からの要求を受け付けたサーバ側またはホームＰＣ側で実行することにより、より進化したＷｅｂページ、情報量のより多いＷｅｂページにアクセスする場合であっても、携帯端末側の処理能力、言語対応等の機能、および、データ通信伝送速度を増強させることなく、現状の携帯端末の機能、性能のままであっても、高機能なＷｅｂアクセスを行うことを可能としている。
【００１７】
（実施形態の構成例）
次に、本発明に係る遠隔携帯端末画面制御システムの実施形態について、その構成例を、図１を用いて説明する。図１は、本発明に係る遠隔携帯端末画面制御システムのシステム構成の一例を示すシステム構成図であり、携帯端末１０、サーバ２０、携帯端末１０と無線接続する無線ネットワーク３０、サーバ２０を接続するＩＰ（Internet Protocol）網４０から構成され、携帯端末１０のＷｅｂページの画面表示制御等の機能をサーバ２０との遠隔連携動作によって実現している例を示している。なお、無線ネットワーク３０は、無線ＬＡＮ（Local Area Network）、ＷｉＭＡＸ（Worldwide Interoperability for Microwave Access）、携帯ＮＷ（Network）等の無線通信用のネットワークであり、ＩＰ網４０と相互接続されている。
【００１８】
ここで、サーバ２０は、携帯端末１０からの要求を受け付けて携帯端末１０に対するＷｅｂページ画面処理用のサーバ機能を実現することが可能であれば、サーバのみに限るものではなく、通常のホームＰＣ（Personal Computer）であっても構わなく、サーバ２０またはホームＰＣは、ブラウザ機能２１、入出力処理機能２２、画面情報送信機能２３、および、付加制御機能２４の各機能を少なくとも備えている。
【００１９】
ブラウザ機能２１は、通常のＰＣに実装されているフルブラウザであっても良いし、携帯電話機のｉ−モード等であっても良い。
【００２０】
入出力処理機能２２は、携帯端末１０側との情報の送受信機能を司るものであり、本入出力処理機能２２において、携帯端末１０側から受信した情報の種別を示す制御情報部が、当該サーバ２０への「初期ログイン」であると認識した場合には、携帯端末１０においてユーザ認証用として入力された、携帯端末１０からのユーザＩＤ、パスワードを入力情報として、ブラウザ機能２１を起動する。また、本入出力処理機能２２において、携帯端末１０側から受信した情報の種別を示す制御情報部が、インターネットへの「Ｗｅｂアクセス」であると認識した場合には、携帯端末１０からのアクセス情報（ＵＲＬアドレスやタイトル情報）を入力情報に設定して、ブラウザ機能２１を起動する。
【００２１】
また、本入出力処理機能２２において、携帯端末１０側から受信した情報の種別を示す制御情報部が、実際のアドレス情報（電話番号またはＵＲＬまたはメールアドレス）を取得してお気に入りメモリに登録することを要求する「お気に入り登録」であると認識した場合には、携帯端末１０からの入力情報である、電話番号またはＵＲＬまたはメールアドレスの文字列を入力情報に設定するとともに、「お気に入り登録」の旨を制御情報部に設定して、付加制御機能２４を起動する。また、本入出力処理機能２２において、付加制御機能２４から受信した情報の種別を示す制御情報部が、実際のアドレス情報を入力情報として設定したことを示す「お気に入り」であると認識した場合には、付加制御機能２４からの入力情報（すなわち、実際のアドレス情報）と制御情報部（すなわち「お気に入り」）とを、携帯端末１０側に送信する。
【００２２】
また、画面情報送信機能２３は、ブラウザ機能２１によって画面表示される画面情報を、携帯端末１０側に送信するものであり、また、付加制御機能２４は、入出力処理機能２２から入力された制御情報部が、「お気に入り登録」の場合には、入力情報である、電話番号またはＵＲＬまたはメールアドレスの文字列に相当する実際のアドレス情報（電話番号またはＵＲＬまたはメールアドレス）を取得して、サーバ２０内のお気に入りメモリに記憶するとともに、取得した該アドレス情報（電話番号またはＵＲＬまたはメールアドレス）を入力情報として設定し、かつ、制御情報部に「お気に入り」を設定して、入出力処理機能２２を起動するものである。
【００２３】
次に、携帯端末１０は、携帯電話機、ＰＨＳ（Personal Handy-phone System）端末、ＰＤＡ（Personal Digital Assistants）端末、携帯ＰＣ（Personal Computer）、携帯音楽プレーヤ等、インターネットのＷｅｂページの閲覧機能を必要とする端末であれば、如何なる端末であっても良く、サーバログイン機能１１、入出力処理機能１２、タッチパネル機能１３、キーボード入力機能１４、画面情報受信機能１５、お気に入り登録機能１６、および、付加制御機能１７の各機能を少なくとも備えている。
【００２４】
サーバログイン機能１１は、当該携帯端末１０から、サーバ２０側のブラウザ機能２１を起動する際に、図２に示すログインメニュー画面を画面表示して、キーボードにより、ユーザＩＤボタン１１１、パスワードボタン１１２の選択操作（クリック）によって表示される入力枠にユーザＩＤ、パスワードを入力させ、初期ログインボタン１１３が選択操作（クリック）されると、入力されたユーザＩＤ、パスワードとともに、情報の種別を示す制御情報部に「初期ログイン」を自動設定して、入出力処理機能１２を起動する。ここで、図２は、図１に示す携帯端末１０に画面表示されるログインメニュー画面の一例を示す画面図であり、画面の下部に、ユーザ認証用のＩＤ、パスワードを入力するためのユーザＩＤボタン１１１、パスワードボタン１１２、および、初期ログイン指示用の初期ログインボタン１１３を表示している。
【００２５】
入出力処理機能１２は、サーバ２０側との情報の送受信機能を司る部位であり、本入出力処理機能１２において、制御情報部および入力情報をサーバ２０側に送信するとともに、サーバ２０側からの情報として、情報の種別を示す制御情報部に「お気に入り」が設定されている情報を受信した際に、付加制御機能１７を起動して、入力情報として受信したアドレス情報を、携帯端末１０内に備えているお気に入りメモリ例えば電話帳やアドレス帳に登録する。
【００２６】
タッチパネル機能１３は、表示された画面情報の中でタッチされた位置の情報を抽出して、制御情報部に「Ｗｅｂアクセス」を自動設定して、入出力処理機能１２を起動する。また、キーボード入力機能１４は、表示された画面情報の入力枠にキーボードからの入力があった際またはキーボードによる画面情報のいずれかの情報の選択操作（クリック）があった際に、その入力情報または選択操作（クリック）された情報とともに、制御情報部に「Ｗｅｂアクセス」を自動設定して、入出力処理機能１２を起動する。
【００２７】
画面情報受信機能１５は、サーバ２０側からの画面情報を受信し、携帯端末１０に備えているタッチパネル付き液晶画面に画面表示する。
【００２８】
付加制御機能１７は、タッチパネル付き液晶画面に画面表示された画面情報上で電話番号またはメールアドレスまたはＵＲＬの文字列が、タッチされた後またはキーボードで選択操作（クリック）された後に、図３に示すログイン後メニュー画面のお気に入りボタン１１４を選択操作（クリック）した時、タッチまたはキーボードにより選択操作（クリック）がなされた情報とともに、制御情報部に「お気に入り登録」を設定して、入出力処理機能１２を起動する。また、入出力処理機能１２から制御情報部に「お気に入り」を設定して、付加制御機能１７が起動された場合、当該携帯端末１０内に設けられたお気に入りメモリ例えば電話帳やアドレス帳に、入出力処理機能１２から受け取った情報すなわち電話番号、ＵＲＬ、メールアドレス情報等のアドレス情報の登録を行う。図３は、図１に示す携帯端末１０に画面表示されるログイン後メニュー画面の一例を示す画面図であり、画面の下部に、お気に入りメモリへの登録要求用のお気に入りボタン１１４を表示している。
【００２９】
(本発明の実施形態の動作の説明)
次に、図１に示す遠隔携帯端末画面制御システムの動作の一例について説明する。図４は、図１に示す遠隔携帯端末画面制御システムの携帯端末１０の動作の一例を説明するためのフローチャートであり、初期ログイン動作の一例を示している。
【００３０】
図４のフローチャートにおいて、まず、携帯端末１０のタッチパネル付き液晶画面に、初期メニュー画面として、図２に示すログインメニュー画面を画面表示して、ユーザＩＤボタン１１１を選択操作（クリック）して、ユーザＩＤを入力し、次に、パスワードボタン１１２を選択操作（クリック）して、パスワードを入力した後、初期ログインボタン１１３を選択操作（クリック）する（ステップＳ１）。
【００３１】
かかる入力操作により、サーバログイン機能１１が起動され、制御情報部＝「初期ログイン」、入力情報＝入力された「ユーザＩＤ」、「パスワード」が設定されて、入出力処理機能１２および画面情報受信機能１５が起動される（ステップＳ２）。しかる後、タッチパネル付き液晶画面は、ログインメニュー画面から図３に示すようなログイン後メニュー画面に切り替わる。
【００３２】
入出力処理機能１２が起動されると、制御情報部＝「初期ログイン」、入力情報＝「ユーザＩＤ」、「パスワード」が設定されたサーバログイン情報を、サーバ２０側に、無線ネットワーク３０、ＩＰ網４０を介して送出する（ステップＳ３）。
【００３３】
該サーバログイン情報を受信したサーバ２０側においては、送信元の携帯端末１０の入出力処理機能１２に対応した入出力処理機能２２が起動されて、受信した該サーバログイン情報の制御情報部が「初期ログイン」であった場合、携帯端末１０からの入力情報である初期ログイン用のユーザＩＤ、パスワードに基づく認証処理を行い、認証が得られた場合、該ユーザＩＤ、パスワードを入力情報に設定して、ブラウザ機能２１を起動するとともに、画面情報送信機能２３の起動を登録する（ステップＳ１１）。
【００３４】
ブラウザ機能２１が起動されると、該ユーザＩＤ、パスワードを付して、該携帯端末１０に対応するインターネットのＷｅｂサーバにアクセスして、該ＷｅｂサーバからダウンロードされてくるＷｅｂページに関するＨＴＭＬ言語を画面表示するための画面情報にデコードして、サーバ２０の表示パネルにブラウザ画面として画面表示するとともに、起動の登録がなされていた画面情報送信機能２３を起動する（ステップＳ１２）。
【００３５】
画面情報送信機能２３が起動されると、デコードされた画面情報を、前記サーバログイン情報の送信元の携帯端末１０に対して、ＩＰ網４０、無線ネットワーク３０を介して転送する（ステップＳ１３）。
【００３６】
携帯端末１０側においては、ステップＳ２において画面情報受信機能１５が起動された状態にあり、サーバ２０側から送信されてくる画面情報を受信して、タッチパネル付き液晶画面に既に画面表示されているログイン後メニュー画面に重畳された状態で画面表示される（ステップＳ４）。
【００３７】
次に、図１に示す遠隔携帯端末画面制御システムの動作の図４とは異なる動作例について説明する。図５は、図１に示す遠隔携帯端末画面制御システムの携帯端末１０の動作の他の例を説明するためのフローチャートであり、携帯端末１０にて指定したインターネットのＷｅｂページを携帯端末１０のタッチパネル付き液晶画面に画面表示する動作の一例を示している。
【００３８】
図５のフローチャートにおいて、まず、携帯端末１０のタッチパネル付き液晶画面に、図４のステップＳ４において画面表示されているＷｅｂページの中から、次にダウンロードしようとするタイトルを、スタイラスペン（Stylus-Pen）でクリックすると（ステップＳ２１）、タッチパネル機能１３が起動して、クリックされた座標位置のタイトル情報を入力情報として、情報の種別を示す制御情報部には「Ｗｅｂアクセス」を設定して、入出力処理機能１２を起動する（ステップＳ２２）。
【００３９】
入出力処理機能１２が起動されると、タッチパネル機能１３から入力されてきた入力情報＝「タイトル情報」、制御情報部＝「Ｗｅｂアクセス」が設定されたＷｅｂアクセス情報を、サーバ２０側に、無線ネットワーク３０、ＩＰ網４０を介して送出するとともに、画面情報受信機能１５を起動する（ステップＳ２３）。
【００４０】
該Ｗｅｂアクセス情報を受信したサーバ２０側においては、送信元の携帯端末１０の入出力処理機能１２に対応した入出力処理機能２２が起動されて、受信した該Ｗｅｂアクセス情報の制御情報部＝「Ｗｅｂアクセス」であった場合、該Ｗｅｂアクセス情報に設定されていた入力情報＝「タイトル情報」を設定して、ブラウザ機能２１を起動するとともに、画面情報送信機能２３の起動を登録する（ステップＳ３１）。
【００４１】
ブラウザ機能２１が起動されると、入力情報＝「タイトル情報」に対応するインターネットのＷｅｂページにアクセスして、該ＷｅｂページからダウンロードされてくるＨＴＭＬ言語を画面表示するための画面情報にデコードして、サーバ２０の表示パネルにブラウザ画面として画面表示するとともに、起動の登録がなされていた画面情報送信機能２３を起動する（ステップＳ３２）。
【００４２】
画面情報送信機能２３が起動されると、デコードされた画面情報を、前記Ｗｅｂアクセス情報の送信元の携帯端末１０に対して、ＩＰ網４０、無線ネットワーク３０を介して転送する（ステップＳ３３）。
【００４３】
携帯端末１０側においては、ステップＳ２３において画面情報受信機能１５が起動された状態にあり、サーバ２０側から送信されてくる画面情報を受信して、タッチパネル付き液晶画面に既に画面表示されているログイン後メニュー画面に重畳された状態で画面表示される（ステップＳ２４）。
【００４４】
次に、図１に示す遠隔携帯端末画面制御システムの動作の図５とは異なる動作例について説明する。図６は、図１に示す遠隔携帯端末画面制御システムの携帯端末１０の動作の図５とは異なる例を説明するためのフローチャートであり、携帯端末１０にインターネットのＷｅｂページを画面表示する動作として、携帯端末１０において、ダウンロードしようとするインターネットのＷｅｂページを指定するタイトル情報を選択する際に、図５のフローチャートの場合は、スタイラスペンを用いてクリックする場合を示したが、本フローチャートの場合は、キーボードを用いて選択操作を行う場合を例示している。
【００４５】
図６のフローチャートにおいて、まず、携帯端末１０のタッチパネル付き液晶画面に、図４のステップＳ４において画面表示されているＷｅｂページの中から、次にダウンロードしようとするタイトルを、キーボード上の上下左右の矢印キーを用いてカーソルを移動させて選択した後、キーボードの確定キーを押下するかまたは画面上の確定ボタンを選択操作（クリック）すると、あるいは、キーボードを用いてタイトルを入力した後に、キーボードの確定キーを押下するかまたは画面上の確定ボタンを選択操作（クリック）すると（ステップＳ４１）、キーボード入力機能１４が起動して、選択されたタイトル情報あるいは入力されたタイトル情報を入力情報として、情報の種別を示す制御情報部には「Ｗｅｂアクセス」を設定して、入出力処理機能１２を起動する（ステップＳ４２）。
【００４６】
以降の動作は、図５のフローチャートの場合と同様である。すなわち、入出力処理機能１２が起動されると、キーボード入力機能１４から入力されてきた入力情報＝「タイトル情報」、制御情報部＝「Ｗｅｂアクセス」が設定されたＷｅｂアクセス情報を、サーバ２０側に、無線ネットワーク３０、ＩＰ網４０を介して送出するとともに、画面情報受信機能１５を起動する（ステップＳ４３）。
【００４７】
該Ｗｅｂアクセス情報を受信したサーバ２０側においては、送信元の携帯端末１０の入出力処理機能１２に対応した入出力処理機能２２が起動されて、受信した該Ｗｅｂアクセス情報の制御情報部＝「Ｗｅｂアクセス」であった場合、該Ｗｅｂアクセス情報に設定されていた入力情報＝「タイトル情報」を設定して、ブラウザ機能２１を起動するとともに、画面情報送信機能２３の起動を登録する（ステップＳ５１）。
【００４８】
ブラウザ機能２１が起動されると、入力情報＝「タイトル情報」に対応するインターネットのＷｅｂページにアクセスして、該ＷｅｂページからダウンロードされてくるＨＴＭＬ言語を画面表示するための画面情報にデコードして、サーバ２０の表示パネルにブラウザ画面として画面表示するとともに、起動の登録がなされていた画面情報送信機能２３を起動する（ステップＳ５２）。
【００４９】
画面情報送信機能２３が起動されると、デコードされた画面情報を、前記Ｗｅｂアクセス情報の送信元の携帯端末１０に対して、ＩＰ網４０、無線ネットワーク３０を介して転送する（ステップＳ５３）。
【００５０】
携帯端末１０側においては、ステップＳ４３において画面情報受信機能１５が起動された状態にあり、サーバ２０側から送信されてくる画面情報を受信して、タッチパネル付き液晶画面に既に画面表示されているログイン後メニュー画面に重畳された状態で画面表示される（ステップＳ４４）。
【００５１】
次に、図１に示す遠隔携帯端末画面制御システムの動作の図４〜図６とは異なる動作例について説明する。図７は、図１に示す遠隔携帯端末画面制御システムの携帯端末１０の動作の図４ないし図６とは異なる例を説明するためのフローチャートであり、携帯端末１０側に、画面情報として画面表示されたＷｅｂページに記載されている電話番号またはＵＲＬまたはメールアドレスの文字列に関する実際のアドレス情報を取得して、携帯端末１０のお気に入りメモリ例えば電話帳やアドレス帳に登録する場合の動作例を示している。
【００５２】
図７のフローチャートにおいて、まず、携帯端末１０のタッチパネル付き液晶画面に、図５または図６のステップＳ２４またはステップＳ４４においてログイン後メニュー画面に重畳されて画面表示されているＷｅｂページ中の電話番号またはＵＲＬまたはメールアドレスの文字列に関する実際のアドレス情報を取得しようとする場合、ダウンロードしようとする当該アドレス情報に関する電話番号またはＵＲＬまたはメールアドレスの文字列を、スタイラスペンでドラッグ＆クリックした後、ログイン後メニュー画面のお気に入りボタン１１４をクリックすると（ステップＳ６１）、タッチパネル機能１３が起動して、ドラッグ＆クリックされた電話番号またはＵＲＬまたはメールアドレスの文字列に関する情報を入力情報として、情報の種別を示す制御情報部には「お気に入り登録」を設定して、付加制御機能１７を起動する（ステップＳ６２）。
【００５３】
あるいは、キーボードを用いて、ダウンロードしようとするアドレス情報を選択しようとする場合には、ダウンロードしようとするアドレス情報に関する電話番号またはＵＲＬまたはメールアドレスの文字列を、キーボード上の矢印キーを用いてカーソルを移動させて選択した後、キーボードの確定キーを押下するかまたは画面上の確定ボタンを選択操作（クリック）すると、あるいは、キーボードを用いてダウンロードしようとするアドレス情報に関する文字列を入力した後に、キーボードの確定キーを押下するかまたは画面上の確定ボタンを選択操作（クリック）すると（ステップＳ６１）、キーボード入力機能１４が起動して、選択された電話番号またはＵＲＬまたはメールアドレスの文字列に関する情報あるいは入力された電話番号またはＵＲＬまたはメールアドレスの文字列に関する情報を入力情報として、情報の種別を示す制御情報部には「お気に入り登録」を設定して、付加制御機能１７を起動する（ステップＳ６２）。
【００５４】
付加制御機能１７が起動されると、タッチパネル機能１３あるいはキーボード入力機能１４から入力されてきた情報の制御情報部が「お気に入り登録」であった場合には、入力情報＝「電話番号またはＵＲＬまたはメールアドレスの文字列に関する情報」、制御情報部＝「お気に入り登録」をそのまま設定して、入出力処理機能１２を起動する（ステップＳ６３）。
【００５５】
入出力処理機能１２が起動されると、付加制御機能１７から入力されてきた入力情報＝「電話番号またはＵＲＬまたはメールアドレスの文字列に関する情報」、制御情報部＝「お気に入り登録」が設定されたお気に入り登録要求情報を、サーバ２０側に、無線ネットワーク３０、ＩＰ網４０を介して送出する（ステップＳ６４）。
【００５６】
該お気に入り登録要求情報を受信したサーバ２０側においては、送信元の携帯端末１０の入出力処理機能１２に対応した入出力処理機能２２が起動されて、受信した該お気に入り登録要求情報の制御情報部＝「お気に入り登録」であった場合、該お気に入り登録要求情報に設定されていた入力情報＝「電話番号またはＵＲＬまたはメールアドレスの文字列に関する情報」、制御情報部＝「お気に入り登録」を設定して、付加制御機能２４を起動する（ステップＳ７１）
【００５７】
付加制御機能２４が起動されると、入出力処理機能２２からの情報の制御情報部＝「お気に入り登録」であった場合、該情報に設定されていた入力情報＝「電話番号またはＵＲＬまたはメールアドレスの文字列に関する情報」によって指定されている電話番号またはＵＲＬまたはメールアドレスに関する実際のアドレス情報を取得して、サーバ２０内に備えられているお気に入りメモリに登録した後、取得したアドレス情報を入力情報として、「お気に入り」を情報の種別を示す制御情報部に設定して、入出力処理機能２２を起動する（ステップＳ７２）。
【００５８】
付加制御機能２４により入出力処理機能２２が起動されると、付加制御機能２４から送られてきた入力情報＝「アドレス情報」（電話番号またはＵＲＬまたはメールアドレスに関する実際のアドレス情報）、制御情報部＝「お気に入り」を設定して、お気に入り情報として、前記お気に入り登録要求情報の送信元の携帯端末１０に対して、ＩＰ網４０、無線ネットワーク３０を介して転送する（ステップＳ７３）。
【００５９】
該お気に入り情報を受信した携帯端末１０側においては、送信元のサーバ２０の入出力処理機能２２に対応した入出力処理機能１２が起動されて、受信した該お気に入り情報の制御情報部が「お気に入り」であった場合は、サーバ２０から受信した入力情報＝「アドレス情報」（電話番号またはＵＲＬまたはメールアドレスに関する実際のアドレス情報）、制御情報部＝「お気に入り」をそのまま設定して、付加制御機能１７を起動する（ステップＳ６５）。
【００６０】
付加制御機能１７が起動すると、受信した情報の制御情報部が「お気に入り」であった場合は、お気に入り登録機能１６を起動して、入力情報に設定されていた「アドレス情報」（電話番号またはＵＲＬまたはメールアドレスに関する実際のアドレス情報）を、携帯端末１０内に備えられているお気に入りメモリ例えば電話帳やアドレス帳に登録する（ステップＳ６６）。
【００６１】
なお、サーバ２０側は、さらに、入出力処理機能２２とは別個に、画面情報送信機能２３をも起動して、「アドレス情報」（電話番号またはＵＲＬまたはメールアドレスに関する実際のアドレス情報）を画面情報に変換して送信するようにしても良く、かかる場合には、携帯端末１０側は、ステップＳ６４において画面情報受信機能１５をあらかじめ起動しておき、サーバ２０側の画面情報送信機能２３から送信されてくる「アドレス情報」（電話番号またはＵＲＬまたはメールアドレスに関する実際のアドレス情報）に関する画面情報を、さらに、タッチパネル付き液晶画面に画面表示するようにしても良い。
【００６２】
また、携帯端末１０側のお気に入りメモリ例えば電話帳やアドレス帳に登録された、電話番号、ＵＲＬ、メールアドレスに関する実際のアドレス情報は、通常の携帯端末の場合と同様に、お気に入りメモリ例えば電話帳やアドレス帳から参照することを可能にするとともに、お気に入りメモリ例えば電話帳やアドレス帳に登録されている電話番号またはＵＲＬまたはメールアドレスをクリックすることにより、該電話番号向けの携帯端末１０からの電話発信用として、または、該ＵＲＬをアドレス情報とするサーバ２０側のブラウザ機能２１を介したインターネットアクセス用として、または、該メールアドレスを宛先とする携帯端末１０からのメール送信用として使用することができる。
【００６３】
以上に詳細に説明したように、本実施形態においては、Ｗｅｂアクセスに関する制御は、携帯端末１０側で実行し、インターネットのＷｅｂページや簡易ＨＴＭＬのダウンロードおよび画面表示処理は、該携帯端末１０からの要求を受け付けたサーバ２０側またはホームＰＣ（Personal Computer）側で実行し、その実行結果として生成された画面情報を、携帯端末１０側に転送することを可能としている。また、携帯端末１０の画面情報として画面表示された電話番号またはＵＲＬまたはメールアドレスの文字列をクリックすることにより、サーバ２０側またはホームＰＣ側から、当該携帯端末１０側に、クリックした文字列に該当する実際のアドレス情報（電話番号、ＵＲＬ、メールアドレス）を送信させて、携帯端末１０側のお気に入りメモリ例えば電話帳やアドレス帳に記憶させることを可能にしている。
【００６４】
また、携帯端末１０側のお気に入りメモリに記憶した電話番号、ＵＲＬ、メールアドレスは、通常の携帯端末の場合と同じように、電話発信、メール発信、ＵＲＬアクセスに利用することを可能にしている。つまり、お気に入りメモリに記憶した電話番号をクリックすることにより当該電話番号向けにダイヤル発信し、お気に入りメモリに記憶したメールアドレスをクリックすることにより当該メールアドレス宛にメール送信し、お気に入りメモリに記憶したＵＲＬをクリックすることにより当該ＵＲＬのＷｅｂページにサーバ２０またはホームＰＣを介してＷｅｂアクセスすることを可能とし、従来の携帯端末側にＷｅｂブラウザを持たせた場合と同等の機能を実現している。
【００６５】
また、携帯端末１０側のタッチパネル付き液晶画面やキーボードとのインタフェースをＵＳＢインタフェースにすれば、携帯端末１０であっても、通常のＰＣ（Personal Computer）と同等の操作性を確保することができる。
【００６６】
（実施形態の効果の説明）
以上に詳細に説明したように、本実施形態においては、携帯端末１０側においてＷｅｂページのダウンロード要求が発生した場合、ダウンロード要求されたＷｅｂページのダウンロードおよび画面表示処理を、該携帯端末１０からの要求を受け付けたサーバ２０側またはホームＰＣ側で実行して、該実行結果として生成された画面情報を要求元の携帯端末１０側へ転送することにしているので、より進化したＷｅｂページ、情報量のより多いＷｅｂページにアクセスしようとする場合であっても、携帯端末１０側の処理能力、言語対応用の機能やデータ通信伝送速度を増強させることなく、現状の携帯端末１０の性能、機能のままで、高機能なＷｅｂアクセスを可能としている。
【００６７】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００６８】
１０      携帯端末
１１      サーバログイン機能
１２      入出力処理機能
１３      タッチパネル機能
１４      キーボード入力機能
１５      画面情報受信機能
１６      お気に入り登録機能
１７      付加制御機能
２０      サーバ
２１      ブラウザ機能
２２      入出力処理機能
２３      画面情報送信機能
２４      付加制御機能
３０      無線ネットワーク
４０      ＩＰ網
１１１    ユーザＩＤボタン
１１２    パスワードボタン
１１３    初期ログインボタン
１１４    お気に入りボタン
【図１】
2011243109.tif 000003
【図２】
2011243109.tif 000004
【図３】
2011243109.tif 000005
【図４】
2011243109.tif 000006
【図５】
2011243109.tif 000007
【図６】
2011243109.tif 000008
【図７】
2011243109.tif 000009